(57)【要約】  【課題】海上などで太陽熱を利用して蒸留水を製造する装置に関し、海面その他の水面上で、偏平状の低い装置でも効果的に凝縮水を製造でき、しかも前処理が簡単な装置を実現する。  【解決手段】水面に浮かべた状態で、周囲の水から蒸留水を製造する装置であり、浮上体で形成した枠状体の内側に底シートを一体化した浅底容器を形成すると共に、該浅底容器上にスペーサを介して被せた浸透膜の端部を周囲の水中に浸して、海水などを毛管現象で浸透させ給水する。そして、該浸透膜の上面にカバーフィルムを積層状態で貼り合わせて、太陽熱で海水などの浸透膜を加熱し、水蒸気を発生させる。この水蒸気を底シート側で冷却して凝縮させる。【選択図】          図２
2005193083.tif 000002
【特許請求の範囲】
【請求項１】
水面に浮かべた状態で、周囲の水から凝縮水を製造する装置において、浮上体で形成した枠状体の内側に底シートを一体化した浅底容器を形成すると共に、該浅底容器上にスペーサを介して被せた浸透膜の端部を周囲の水中に浸しておき、該浸透膜の上面にカバーフィルムを貼り合わせて覆った構造とすることを特徴とする太陽熱造水装置。
【請求項２】
前記の浮上体の高さと最大幅の比（アスペクト比）が１／１０以下であり、該浮上体、スペーサ、底シートおよびカバーフィルムは、合成樹脂製の柔軟な材料から成り、前記浮上体およびスペーサは、中空になっていて、内部の空気を抜いて折り畳み可能となっていることを特徴とする請求項１に記載の太陽熱造水装置。
【請求項３】
前記の底シートの上に、浅底容器内に発生した水蒸気を凝縮させかつ吸水するための吸水性シートを敷いてあることを特徴とする請求項１または請求項２に記載の太陽熱造水装置。
【請求項４】
前記の底シートの一部に凝縮水の貯水部を形成して、凝縮水の回収を容易にしたことを特徴とする請求項１、請求項２または請求項３に記載の太陽熱造水装置。
【請求項５】
上面に吸水性シートを有し、下面に被蒸留水の浸透膜を有する天地兼用シートを、スペーサを介して複数段重ね、各段の被蒸留水浸透膜の端部を周囲の水中に浸すと共に、各段の天地兼用シート上の凝縮水を集めて溜める貯水部を設けたことを特徴とする太陽熱造水装置。
【請求項６】
前記の太陽光照射を受けるカバーフィルムの上に、密閉式の空気層空間を形成する外カバーを設けてなることを特徴とする請求項１から請求項５までのいずれかの項に記載の太陽熱造水装置。
【請求項７】
カバーフィルムの下面に積層された被蒸留水の浸透膜の端部を周囲の水中に浸しておき、前記の浸透膜と水面上の底シートとの間に不透液性の透気膜を介在させて、該不透液性透気膜と該底シートとの間に凝縮水を溜める袋状部を形成した蒸留ユニットを単体で又は複数段重ねて使用する構造となっていることを特徴とする太陽熱造水装置。
【発明の詳細な説明】
【技術分野】
【０００１】
本発明は、海上や湖沼、河川その他の水面上で太陽熱を利用して凝縮水を製造する装置に関する。
【背景技術】
【０００２】
従来から、陸上において、地面に吸水性シートを設置し、太陽熱で真水を製造する装置は知られている。すなわち、吸水性シートに海水を浸透させ、それを太陽熱で蒸発させて、その凝縮水を回収する方法であり、地上に設置する蒸留器としては既に種々発案されている。
【０００３】
一方、図１のように海上に浮遊させて使用する海水蒸留器も提案されている。太陽エネルギー利用ハンドブックによれば、米国海軍が海難救助用の蒸留器を開発した報告がある。海上でボートで曳航して使用するもので、プラスチックカバーフィルム１から成るドーム状容器２を浮遊させ、その室内には、海水を含浸させた黒色の多孔質パッド３を支持具４を用いて水平に広げて張ってあり、カバーフィルム１を透過した太陽熱でパッド３中の海水を蒸発させる。蒸発した水蒸気は対流とともに上昇するが、カバーフィルム１の内面で凝縮して流下し、ドーム下部の漏斗状部５中に貯留される。この凝縮水Ｗを取り出して、飲料水などに利用する。
【０００４】
【非特許文献１】日本太陽エネルギー学会太陽エネルギー利用ハンドブック編集委員会編「太陽エネルギー利用ハンドブック」日本太陽エネルギー学会（東京）１９８５年出版．ｐｐ．８６２−８６３
【発明の開示】
【発明が解決しようとする課題】
【０００５】
しかし、前記のように陸上で吸水性シート中の海水を蒸留する手法は、吸水性シートに海水を連続的に適量供給するための特殊な装置が不可欠であり、その結果、高価な装置となる。
【０００６】
一方、ドーム状の蒸留器は、蒸留処理のたびに、蒸留処理に先立って、前回の蒸留で濃縮された、パッド３中の海水を洗い流したりして、新しい海水に替えるための前処理作業が必要であるが、パッド３がドーム状容器２の内側に有るため、この前処理作業が困難である。さらに、カバーフィルム内面で凝縮した水が滴下しないように、カバーフィルム１を高くして、より急な傾斜を設ける必要があるため、ドーム形状が高くなる。その結果、風や波などを受けて、容易に横転したり、揺動によって、カバーフィルム内面の凝縮水がパッド３上に落下するなどの問題がある。また、太陽熱が透過するカバーフィルム１の内面で凝縮させるので、凝縮滴により太陽光透過率が低下し、効果的に凝縮できない。
【０００７】
本発明の技術的課題は、このような問題に着目し、海面その他の水面上で、偏平状の低い装置でも効果的に凝縮水を製造でき、しかも前処理が簡単な装置を実現することにある。
【課題を解決するための手段】
【０００８】
本発明の技術的課題は次のような手段によって解決される。請求項１は、水面に浮かべた状態で、周囲の水から凝縮水を製造する装置において、浮上体で形成した枠状体の内側に底シートを一体化した浅底容器を形成すると共に、浅底容器上にスペーサを介して被せた浸透膜の端部を周囲の水中に浸しておき、該浸透膜の上面にカバーフィルムを積層状態で貼り合わせて覆った構造とすることを特徴とする太陽熱造水装置である。シートとは、フィルムや膜などをも含む薄材を総称するものとする。
【０００９】
このように、浮上体で形成した枠状体の内側に底シートを一体化した浅底容器を形成すると共に、浅底容器上にスペーサを介して被せた浸透膜の端部を周囲の水中に浸しておくため、周囲の水中の水を浅底容器の上側全面まで毛管現象で浸透させて誘導することができる。こうして被蒸留水が浸透している該浸透膜の上面はカバーフィルムで覆われているため、太陽熱で加熱されて発生した浅底容器内の水蒸気は、底シートに接して海水等で冷却され、効率的に凝縮する。しかも、スペーサを介して被蒸留水浸透膜と底シートとが接近しているので、太陽熱で発生した水蒸気の冷却凝縮が効果的に行われる。また、被蒸留水の浸透膜とその上のカバーフィルムが貼り合わされて１枚のシート状になっているので、カバーフィルムと被蒸留水浸透膜の間の伝熱が良くなり、蒸発が効果的に行われるとともに、取り扱いも簡便になる。
【００１０】
請求項２は、前記の浮上体の高さと最大幅の比（アスペクト比）が１／１０以下であり、該浮上体、スペーサ、底シートおよびカバーフィルムは、合成樹脂製の柔軟な材料から成り、前記浮上体およびスペーサは、中空になっていて、内部の空気を抜いて折り畳み可能となっていることを特徴とする請求項１に記載の太陽熱造水装置である。被蒸留水の浸透膜は、合成繊維ないし動植物の繊維製でもよい。このように、全体の厚さのアスペクト比が１／１０以下程度であり極めて低いので、風や波による横転の可能性が大幅に低減する。しかも、全て柔軟な材質で製作されているため、また、浮きの働きをする浮上体やスペーサーは中空のチューブになっているので、内部の空気を抜いて折り畳むことにより、非常にコンパクトにすることができる。その結果、取り扱いや運搬、保管なども便利で、普及が期待できる。
【００１１】
請求項３は、前記の底シートの上に、浅底容器内に発生した水蒸気を凝縮させかつ吸水するための吸水性シートを敷いてあることを特徴とする請求項１または請求項２に記載の太陽熱造水装置である。このように、底シートの上に吸水性シートを敷いてあるので、浅底容器内に発生した水蒸気が海水等で冷却状態の底シートで冷却されて凝縮して生じた凝縮水が、効果的に吸水性シートに付着して、吸水性シートと上側の被蒸留水浸透膜との部分的接触があった場合でも、凝縮水と被蒸留水の混合を防止または低減できるとともに、底シートの一部に貯水部を形成した場合には、凝縮水を円滑に貯水部へ誘導できる。
【００１２】
請求項４は、前記の底シートの一部に凝縮水の貯水部を形成して、凝縮水の回収を容易にしたことを特徴とする請求項１、請求項２または請求項３に記載の太陽熱造水装置である。このように、底シートの一部に凝縮水の貯水部を形成してあるため、凝縮水を集めて溜めておき、随時取り出して使用することができる。
【００１３】
請求項５は、上面に吸水性シートを有し、下面に被蒸留水の浸透膜を有する天地兼用シートを、スペーサを介して複数段重ね、各段の被蒸留水浸透膜の端部を周囲の水中に浸すと共に、各段の天地兼用シート上の凝縮水を集めて溜める貯水部を設けたことを特徴とする太陽熱造水装置である。このように、上面に吸水性シートを有し、下面に被蒸留水の浸透膜を有する天地兼用シートを、スペーサを介して複数段重ねてある。そして、各段の被蒸留水浸透膜の端部を周囲の水中に浸してあり、また各段の天地兼用シート上の凝縮水を集めて溜める貯水部を設けてある。したがって、複数段で同時に水蒸気の発生と凝縮が行われるため、凝縮水の量産が可能となる。各段の被蒸留水浸透膜の端部を周囲の水中に浸すと共に、各段の天地兼用シート上の凝縮水を集めて溜める貯水部を設けてあるので、被蒸留水の誘導と凝縮水の回収も円滑に行われる。
【００１４】
請求項６は、前記の太陽光照射を受けるカバーフィルムの上に、密閉式の空気層空間を形成する外カバーを設けてなることを特徴とする請求項１から請求項５までのいずれかの項に記載の太陽熱造水装置である。このように、太陽光照射を受けるカバーフィルムの上に、密閉式の空気層空間を形成してあるため、カバーフィルムの上部に常時、伝熱性の悪い空気層を形成し上方の周囲空気への熱損失を低減して、カバーフィルムと被蒸留水浸透膜を常に高温で加熱することができる。その結果、水蒸気の発生が常時効果的に行われる。
【００１５】
請求項７は、カバーフィルムの下面に積層された被蒸留水の浸透膜の端部を周囲の水中に浸しておき、前記の浸透膜と水面上の底シートとの間に不透液性の透気膜を介在させて、該不透液性透気膜と該底シートとの間に凝縮水を溜める袋状部を形成した蒸留ユニットを単体で又は複数段重ねて用いる構造としたことを特徴とする太陽熱造水装置である。このように、カバーフィルム下面の被蒸留水浸透膜と水面上の底シートとの間に不透液性の透気膜を介在させてあるので、気化した水蒸気は不透液性透気膜を透過して、底シートとの間に形成された袋状部中で凝縮して溜まる。したがって、図２から図４のような、被蒸留水浸透膜と底シートとが接するのを防止するスペーサ手段が不必要となり、蒸留器が薄型化されると共に構成や取り扱いが簡素化される。不透液性透気膜と底シートから成る袋の内部で水蒸気を凝縮させて貯水できるので、海水の凝縮水への混入や凝縮水の損失が防止できる。このような蒸留ユニットを複数段重ねた構成にすると量産にも適している。
【発明の効果】
【００１６】
請求項１のように、浮上体で形成した枠状体の内側に底シートを一体化した浅底容器を形成すると共に、浅底容器上にスペーサを介して被せた浸透膜の端部を周囲の水中に浸しておくため、周囲の水中の水を浅底容器の上側全面まで毛管現象で浸透させて誘導することができる。こうして被蒸留水が浸透している該浸透膜の上面はカバーフィルムで覆われているため、太陽熱で加熱されて発生した浅底容器内の水蒸気は、底シートに接して海水等で冷却され、効率的に凝縮する。しかも、スペーサを介して被蒸留水浸透膜と底シートとが接近しているので、太陽熱で発生した水蒸気の冷却凝縮が効果的に行われる。また、被蒸留水の浸透膜とその上のカバーフィルムが貼り合わされて１枚のシート状になっているので、両者間の伝熱が良くなり、蒸発が効果的に行われるとともに、取り扱いも簡便になる。
【００１７】
請求項２のように、全体の厚さのアスペクト比が１／１０以下程度であり極めて低いので、風や波による横転の可能性が大幅に低減する。しかも、全て柔軟な材質で製作されているため、また、浮きの働きをする浮上体やスペーサーは中空のチューブになっているので、内部の空気を抜いて折り畳むことにより、非常にコンパクトにすることができる。その結果、取り扱いや運搬、保管なども便利で、普及が期待できる。
【００１８】
請求項３のように、底シートの上に吸水性シートを敷いてあるので、浅底容器内に発生した水蒸気が海水等で冷却状態の底シートで冷却されて凝縮して生じた凝縮水が、効果的に吸水性シートに付着して、吸水性シートと上側の被蒸留水浸透膜との部分的接触があった場合でも、凝縮水と被蒸留水の混合を防止または低減できるとともに、底シートの一部に貯水部を形成した場合には、凝縮水を円滑に貯水部へ誘導できる。
【００１９】
請求項４のように、底シートの一部に凝縮水の貯水部を形成してあるため、凝縮水を集めて溜めておき、随時取り出して使用することができる。
【００２０】
請求項５のように、上面に吸水性シートを有し、下面に被蒸留水の浸透膜を有する天地兼用シートを、スペーサを介して複数段重ねてある。そして、各段の被蒸留水浸透膜の端部を周囲の水中に浸してあり、また各段の天地兼用シート上の凝縮水を集めて溜める貯水部を設けてある。したがって、複数段で同時に水蒸気の発生と凝縮が行われるため、凝縮水の量産が可能となる。各段の被蒸留水浸透膜の端部を周囲の水中に浸すと共に、各段の天地兼用シート上の凝縮水を集めて溜める貯水部を設けてあるので、被蒸留水の誘導と凝縮水の回収も円滑に行われる。
【００２１】
請求項６のように、太陽光照射を受けるカバーフィルムの上に、密閉式の空気層空間を形成してあるため、カバーフィルムの上部に常時、伝熱性の悪い空気層を形成し上方の周囲空気への熱損失を低減して、カバーフィルムと被蒸留水浸透膜を常に高温で加熱することができる。その結果、水蒸気の発生が常時効果的に行われる。
【００２２】
請求項７のように、カバーフィルム下面の被蒸留水浸透膜と水面上の底シートとの間に不透液性の透気膜を介在させてあるので、気化した水蒸気は不透液性透気膜を透過して、底シートとの間に形成された袋状部中で凝縮して溜まる。したがって、被蒸留水浸透膜と底シートが接するのを防止するスペーサが不要となり、蒸留器が薄型化されると共に構成や取り扱いが簡素化される。不透液性透気膜と底シートから成る袋状部の内部で水蒸気を凝縮させて貯水できるので、海水の凝縮水への混入や凝縮水の損失も防止できる。このような蒸留ユニットを複数段重ねた構成にすると量産にも適している。
【発明を実施するための最良の形態】
【００２３】
次に本発明による太陽熱造水装置が実際上どのように具体化されるか実施形態を説明する。図２は、本発明による太陽熱造水装置の基本構造を説明する縦断面図である。図示の造水装置は、海面Ｓ上において、浮上体（フロート）からなる枠状体ｆを浮かべておき、このフロート枠ｆの内側には、合成樹脂のフィルムやシートなどから成る底シート６を敷いて一体化し、全体として、底の浅い容器ないし皿状に形成されている。そして、水漏れしない底シート６の上において、凝縮した後の水を吸着保持する吸水性シート７を敷き、その上側のスペーサ８を介して、天井シート９を被せておく。
【００２４】
この天井シート９は、２層構造になっていて、上側は合成樹脂などからなるフィルムないしシートからなるカバーフィルム９１であり、その下面に吸水性のシートからなる浸透膜９２を貼り合わせてある。この浸透膜９２は、海水等の被蒸留水が浸透できる膜であり、例えば布などでもよい。そして、この浸透膜９２は、毛管現象によって周囲の海水を吸収して、各スペーサ８の上側全面まで浸透して供水できるように、海水中に漬け込んである。カバーフィルム９１は、フロート枠ｆの内側の上側空間において、海水浸透膜９２をカバーできればよいが、海面Ｓ上においても浸透膜９２をカバーして、浸透膜９２中の海水の大気中への蒸発乾燥を抑制するのがよい。
【００２５】
このような構造において、太陽熱で天井シート９が加熱されると、内面の浸透膜９２中に浸透している海水中の水分が蒸発して、天井シート９と底シート６との間の空間Ｇ中に拡散し充満する。ところが、海水によって、底シート６と吸水性シート７は冷却されているため、この吸水性シート７に接している水蒸気は効率的に凝縮して吸水保持される。その結果、この吸水性シート７には、徐々に凝縮水が溜まっていく。
【００２６】
浸透膜９２と吸水性シート７は、狭い隙間（例えば、５ｍｍ）を介して向かい合っており、適当な数のスペーサー８により、互いの接触が防止されている。したがって、海水浸透膜９２で発生した水蒸気は、底シート６及び吸水性シート７で冷却凝縮されて、短時間に凝縮水となる。また、カバーフィルム９１または海水浸透膜９２は、太陽熱を吸収しやすいように黒色にしてある。または、太陽熱選択吸収膜を有している。したがって、太陽熱はカバーフィルム９１に吸収され又は透過して、その下面の浸透膜９２中の海水を効果的に蒸発させる。発生した水蒸気は、海水浸透膜９２と吸水性シート７間の空間Ｇ中に拡散し、海水で冷却状態の吸水性シート７で冷却されて凝縮し、凝縮水（真水）となる。
【００２７】
このように、海水浸透膜９２は太陽熱で加熱され、吸水性シート７は海水で冷却され、両者の温度差によって水蒸気の分圧の差が生じ、これが蒸留を駆動させる。一方、吸水性シート７は凝縮水を吸着保持するので、海面Ｓの波の作用により、吸水性シート７と海水浸透膜９２が部分的に接触した場合でも、凝縮水と海水の混合を防止または低減できる。１日あるいは一定時間の後、凝縮水は浅底容器の内部から回収して、飲用その他に利用する。なお、浸透膜９２中の海水が蒸発すると、浸透膜９２の中央部に塩が析出するが、新規の浸透膜９２と交換して稼働している間に、析出した塩は洗い流しておけばよい。
【００２８】
図３の実施形態は、底シート６に、凝縮水を溜めるための貯水部６ａを形成してある。この貯水部６ａは、図示のような袋状でもよい。底シート６上に生じた凝縮水は、この貯水部６ａに流れ込んで溜まるので、以後の回収使用が容易になる。貯水袋６ａにチューブなどを連結しておけば、それを通して凝縮水Ｗを容易に吸い出して使用できる。また、貯水部６を設けることにより、長時間の連続蒸留も可能となる。なお、吸水性シート７の一部を貯水部６ａ中に導いておくと、吸水性シート７に吸水された凝縮水が円滑に貯水部６ａに導入される。
【００２９】
図４は、カバーフィルム９１上に断熱層１０を設けた実施形態である。すなわち、カバーフィルム９１の上側に、断熱層１０を介して透明の外カバー１１を被せ、断熱層１０中の空気が外部に容易に逃げ出さないように閉じ込めている。なお、外カバー１１が垂れ下がって、カバーフィルム９１上に重ならないように、支え用のスペーサ８を設けるのがよい。
【００３０】
このように、カバーフィルム９１の上に外カバー１１を設けることによって断熱層１０を形成すると、断熱層１０内の空気の流れが抑制されて、外カバー１１を透過した太陽光や、太陽熱を吸収したカバーフィルム９１の熱が断熱層１０を通過して外部へ逃げる損失が抑制される。その結果、海水浸透膜９２が常時高温状態に維持されて、浅底容器中における海水の蒸発が促進され、凝縮水の製造がより効果的に行われる。すなわち、海水浸透膜９２と吸水性シート７間の温度差が大きくなり、蒸留量がより促進される。
【００３１】
以上のような浅底容器において、カバーフィルム９１や海水浸透膜９２、吸水性シート７、底シート６などは薄いシート状であるから、浮上体ｆの高さを例えば２０ｍｍ以下にすると、全体的にもほぼ２０ｍｍ以下となる。断熱層１０を設けた構造でも、３０ｍｍ以下程度である。その結果、風や波による影響を受けて横転する可能性が格段と低減する。しかも、全て柔軟な材質で製作すると共に、フロートの働きをする浮上枠ｆやスペーサー８はチューブ状にしておけば、それらの内部の空気を抜いて折り畳むことにより、非常にコンパクトにすることができる。また、取り扱いや運搬、保管なども便利になる。柔軟性が有るため、使用時に波面に円滑に追従でき、無理な力が作用して損傷したりする恐れも無い。なお、面方向のサイズは、例えば左右を約１ｍ程度、前後方向を約３〜５ｍ程度にできる。ただし、一例であって、これより大きくても小さくてもよい。高さ方向も、３０ｍｍ以上でもよい。要は、安定性確保のため、アスペクト比が１／１０以下程度であればよい。浮上体の枠ｆは、浅底容器の左右だけに設けてもよいし、前後のみに設けてもよい。あるいは、底シート６の外周を囲うように環状に設けてもよい。
【００３２】
図５は、前記の浅底容器を多段状にした実施形態であり、（１）は正面から見た縦断面図、（２）は側面から見た縦断面図である。前記のような単一の蒸留器では、吸水性シート７で発生する凝縮熱は、その底面から海水へと放出している。これに対し、図示のような多重効用蒸留器では、その凝縮熱を、下段の空気層Ｇ２中の海水浸透膜９２からの蒸発に再利用する。そのため、（１）図のように、各空気層Ｇ１、Ｇ２、Ｇ３の天井部の海水浸透膜９２の端部は海水中に浸してある。また、（２）図のように、各空気層Ｇ１、Ｇ２、Ｇ３の底部の吸水性シート７の端部は、貯水部６ａ中に浸して、各空気層Ｇ１、Ｇ２、Ｇ３中で発生した水蒸気の凝縮水を回収する構造になっている。
【００３３】
このように、多段構造にする場合は、図２の底シート６の上面に吸水性シート７を重ね、下面に海水浸透膜９２を重ねた３層シートとする。したがって、多段構造におけるシート91６を天地兼用シートと呼ぶ。また、図示の３つの段は、図２のような浅底容器を単に３段重ねた構造も可能ではあるが、図示のように最下段Ｇ１の左右以外の浮上体枠ｆを省いて、スペーサ８のみ残した多段構造でもよい。したがって、天地兼用シート91６の上面で凝縮した際の熱が下面の海水浸透膜９２の海水に伝わって蒸発が生ずる。これを多数回繰り返し、最後の熱は、最下段Ｇ１の底シート６から海水へと放出される。
【００３４】
図６、図７は、スペーサ８に代えて不透液性の透気膜を用いた実施形態である。図６は、図２の実施形態において、浅底容器中のスペーサ８を省き、代わりに不透液性透気膜１２を敷設してある。不透液性透気膜は「微多孔質膜」とも呼ばれ、蒸気は透過させるが、液体は透過させない膜をいう。本発明の蒸留器では、被蒸留水の浸透膜９２と底シート６の間に不透液性透気膜１２を挟むように配置する。その結果、太陽熱で浸透膜９２から発生した水蒸気のみが不透液性透気膜１２を通過し、底シート６で冷却されて凝縮する。そして凝縮水は、底シート６と不透液性透気膜１２で形成される袋状部１３中に溜まる。
【００３５】
このように、不透液性透気膜１２を用いる場合は、浸透膜９２が底シート６と直接重なった構造でも問題なく、不透液性透気膜１２を透気した水蒸気が不透液性透気膜１２の下側で凝縮して、凝縮水を製造することが可能となる。したがって、図２の空気層Ｇが不要になり、蒸留器を薄型化できる。また、不透液性透気膜１２と底シート６から成る袋を形成し、その内部１３で水蒸気を凝縮させて、凝縮水を溜めておくことができる。その結果、海水浸透膜９２が底シート６側と接して浸透膜９２の海水が底シート６側の凝縮水に混入するのを防止でき、逆に凝縮水が海水側に混入し損失するのも防止できるので、図２のスペーサ８を確保する必要性も無い。なお、不透液性の透気膜の一例としては、ゴアテックス製の「ポリテトラフロロエチレン（ｅＰＴＦＥ）膜」が知られている。
【００３６】
図７は、図４と同様にカバーフィルム９１の上に断熱層１０を形成するための外カバー１１を被せてある。そして、この断熱層１０を形成する袋がフロートの作用をするので、浮上体枠ｆは不要となる。また、底シート６と不透液性透気膜１２の外周を接合して袋を形成し、その内部１３に凝縮水を溜めるので、図３のように特別な貯水袋６ａを形成する必要もない。なお、海水浸透膜９２と不透液性透気膜１２との間は、空気層が発生しないように接していることが望ましい。
【００３７】
不透液性の透気膜を用いた蒸留器の場合も、図５のように多段構造も可能である。すなわち、図６の蒸留器ユニットを２段以上重ね、浮上体枠ｆは最下段のみに設けて、水面に浮かべる。このとき、各段の海水浸透膜９２は、図５（１）のように周囲の海水中に垂らすだけでよい。図５（２）の吸水性シート７に代えて、各段の袋状部１３にパイプを連結すれば、別置きの貯水袋６ａに容易に集水できる。なお、図７の外カバー１１は、最上段の蒸留器の上のみに設ける。なお、図５以下の蒸留器の場合も、アスペクト比を１／１０以下とすることは言うまでもない。
【００３８】
以上のように、本発明の太陽熱造水装置によると、海面に浮かべた状態で、吸水性の海水浸透膜９２の端部を海水に浸すだけで、吸水性材の毛管力のみで自然に海水を吸い上げ、全体に浸透させることができる。したがって、何らの動力や装置も必要なく、簡易型の装置となる。しかも、多段構造にすれば、太陽熱吸収面の単位面積当たりの蒸留量が数倍に増加する。
【産業上の利用可能性】
【００３９】
以上のことから、本発明による太陽熱造水装置は、海難時などの救命用の造水装置として最適であるが、この用途に限られるものではない。通常時の飲料水などの製造装置としても有効である。また、海水を用いて凝縮水を製造する場合は、海水浸透膜９２に残った高濃度の海水や塩の結晶を洗い出したりして加熱すれば、食塩製造も可能となる。なお、実施形態では海上で使用する場合を例示したが、本発明装置は、河川や湖沼などに浮かべて、飲料水や灌漑用水を製造することもできる。この場合は、「海水」浸透膜９２は、「被蒸留水」浸透膜と読み換えるものとする。
【図面の簡単な説明】
【００４０】
【図１】従来のドーム状の海水蒸留器の縦断面図である。
【図２】本発明による太陽熱造水装置の基本構造を示す縦断面図である。
【図３】貯水部を有する実施形態の縦断面図である。
【図４】断熱層を有する実施形態の縦断面図である。
【図５】多段構造の実施形態であり、（１）は正面から見た縦断面図、（２）は側面から見た縦断面図である。
【図６】スペーサに代えて不透液性の透気膜を用いた実施形態の縦断面図である。
【図７】浮上枠を省いた実施形態の縦断面図である。
【符号の説明】
【００４１】
Ｓ  海面
ｆ  浮上体（フロート）枠
６  底シート
６ａ  貯水部（貯水袋）
Ｗ  凝縮水
７  吸水性シート
８  スペーサ
９  天井シート
９１  カバーフィルム
９２  海水浸透膜
９１６  天地兼用シート
Ｇ  浅底容器中の空間
Ｇ１・Ｇ２・Ｇ３  空気層
１０  断熱層
１１  外カバー
１２  不透液性透気膜
１３  袋状部
【図１】
2005193083.tif 000003
【図２】
2005193083.tif 000004
【図３】
2005193083.tif 000005
【図４】
2005193083.tif 000006
【図５】
2005193083.tif 000007
【図６】
2005193083.tif 000008
【図７】
2005193083.tif 000009